(57)【要約】【課題】よりシャボン玉遊戯を楽しむことができるように遊戯性を向上させたシャボン玉遊戯具を提供する。【解決手段】持ち手７と、持ち手７前方に配設されシャボン玉液を膜状に保持するための包囲部を備えたシャボン玉放出部５と、シャボン玉放出部５の収容容器を備えたシャボン玉遊戯具において、シャボン玉放出部５は、同じ長さの２本の第１の棒状体９と、第１の棒状体９よりも短い同じ長さの２本の第２の棒状体１０を回り対偶で連結した四節回転機構のリンク装置であり、第１の棒状体９の一端同士及び第２の棒状体１０の一端同士がそれぞれ連結されるとともに、第１の棒状体９の他端は第２の棒状体１０の他端と連結されており、シャボン玉放出部５は折り畳まれた棒状の収納形態となるように変形させるとともに、第１の棒状体９及び第２の棒状体１０が開いて包囲部を形成するように変形させるようにした。【選択図】図２
0003217775.tif 000002
【実用新案登録請求の範囲】
【請求項１】
持ち手と、同持ち手前方に配設されシャボン玉液を膜状に保持するための包囲部を備えたシャボン玉放出部と、同シャボン玉放出部の収容容器を備えたシャボン玉遊戯具において、
前記シャボン玉放出部は、同じ長さの２本の第１のリンク体と、同第１のリンク体よりも短い同じ長さの２本の第２のリンク体を回り対偶で連結した四節回転機構のリンク装置であり、前記第１のリンク体の一端同士及び前記第２のリンク体の一端同士がそれぞれ連結されるとともに、前記第１のリンク体の他端は前記第２のリンク体の他端と連結されており、
前記シャボン玉放出部は２本の前記第１のリンク体を連結した一端側を基点として前記第１のリンク体を相対的に接近させる方向と相対的に離間する方向に揺動可能とされ、２本の前記第１のリンク体を接近させることで折り畳まれた棒状の収納形態となるように変形させるとともに、離間させることで前記第１のリンク体及び前記第２のリンク体が開いて前記包囲部を形成するように変形させ、
前記シャボン玉放出部は前記棒状の収納形態でシャボン玉液が充填された有底筒状の前記収容容器に収納されることを特徴とするシャボン玉遊戯具。
【請求項２】
前記シャボン玉放出部を棒状の収納形態に変形させた際に、２本の前記第２のリンク体は２本の前記第１のリンク体と重複状に配置されることを特徴とする請求項１に記載のシャボン玉遊戯具。
【請求項３】
前記第１のリンク体及び前記第２のリンク体にはシャボン玉液を膜状に保持するための包囲部としての１又は複数の透孔が形成されていることを特徴とする請求項１〜３のいずれかに記載のシャボン玉遊戯具。
【請求項４】
前記持ち手に隣接して前記第１のリンク体を揺動させるための操作部が設けられていることを特徴とする請求項１〜３のいずれかに記載のシャボン玉遊戯具。
【考案の詳細な説明】
【技術分野】
【０００１】
本考案は、シャボン玉を飛ばして遊ぶためのシャボン玉遊戯具に関するものである。
【背景技術】
【０００２】
従来から持ち手を持って空中で振ることでシャボン玉放出部からシャボン玉を飛ばして遊ぶシャボン玉遊戯具物がある。そのような一例として特許文献１を挙げる。
【先行技術文献】
【特許文献】
【０００３】
【特許文献１】実開平６−３６６９６号公報
【考案の概要】
【考案が解決しようとする課題】
【０００４】
本考案のシャボン玉遊戯具は、従来のシャボン玉遊戯具を改良し、よりシャボン玉遊戯を楽しむことができるように遊戯性を向上させたものである。
【課題を解決するための手段】
【０００５】
上記の目的を達成するための第１の手段として、持ち手と、同持ち手前方に配設されシャボン玉液を膜状に保持するための包囲部を備えたシャボン玉放出部と、同シャボン玉放出部の収容容器を備えたシャボン玉遊戯具において、前記シャボン玉放出部は、同じ長さの２本の第１のリンク体と、同第１のリンク体よりも短い同じ長さの２本の第２のリンク体を回り対偶で連結した四節回転機構のリンク装置であり、前記第１のリンク体の一端同士及び前記第２のリンク体の一端同士がそれぞれ連結されるとともに、前記第１のリンク体の他端は前記第２のリンク体の他端と連結されており、前記シャボン玉放出部は２本の前記第１のリンク体を連結した一端側を基点として前記第１のリンク体を相対的に接近させる方向と相対的に離間する方向に揺動可能とされ、２本の前記第１のリンク体を接近させることで折り畳まれた棒状の収納形態となるように変形させるとともに、離間させることで前記第１のリンク体及び前記第２のリンク体が開いて前記包囲部を形成するように変形させ、前記シャボン玉放出部は前記棒状の収納形態でシャボン玉液が充填された有底筒状の前記収容容器に収納されるようにした。
これによって、使用の際にシャボン玉放出部が畳まれた状態から開いた状態となるという形態変化があるため遊戯性が向上する。また、シャボン玉放出部は収容容器から取り出し、畳んだ状態から開くだけで包囲部に膜状のシャボン玉液を保持されることとなり、遊戯をする者はその状態から持ち手を持って振るだけでシャボン玉を飛ばすことができ、操作性に無駄がなく有利である。
【０００６】
また、第２の手段として、前記シャボン玉放出部を棒状の収納形態に変形させた際に、２本の前記第２のリンク体は２本の前記第１のリンク体と重複状に配置されるようにした。
このような構成であればシャボン玉放出部が畳まれた状態で、よりコンパクトとなり、収容容器も全長を短く構成することができる。
また、第３の手段として、前記第１のリンク体及び前記第２のリンク体にはシャボン玉液を膜状に保持するための包囲部としての１又は複数の透孔が形成されているようにした。
このように構成することで、第１のリンク体と第２のリンク体で包囲された大きな包囲部からの大きなシャボン玉と、第１のリンク体と第２のリンク体の小さな包囲部からの小さなシャボン玉の両方を楽しむことができる。
また、第４の手段として、前記持ち手に隣接して前記第１のリンク体を揺動させるための操作部が設けられているようにした。
シャボン玉放出部を掴んで操作しなくとも操作部を操作することでシャボン玉放出部を開いたり閉じたりできるため、手にシャボン玉液がつかず、また、操作性がよいため遊戯性を損なわない。
【考案の効果】
【０００７】
本考案によれば、使用の際にシャボン玉放出部が畳まれた状態から開いた状態となるという形態変化があるため遊戯性が向上する。また、また、シャボン玉放出部は収容容器から取り出し、畳んだ状態から開くだけで包囲部に膜状のシャボン玉液を保持させることができる。
【図面の簡単な説明】
【０００８】
【図１】実施の形態のシャボン玉遊戯具の分解正面図。
【図２】図１のシャボン玉遊戯具の遊戯具本体のシャボン玉放出部の開いた状態の正面図。
【図３】（ａ）及び（ｂ）はシャボン玉放出部のシャボン玉放出部を駆動させる機構部分を説明するための説明図。
【考案を実施するための形態】
【０００９】
以下、本考案の一実施の形態のシャボン玉遊戯具について図面に基づいて説明する。
図１及び図２に示すように、プラスチック製のシャボン玉遊戯具１は遊戯具本体２と、収容容器としての鞘３と、から構成されている。プラスチック製の遊戯具本体２は、シャボン玉放出部５と、シャボン玉放出部５が支持される駆動伝達部６と、駆動伝達部６の後方装着されている持ち手７とから構成されている。
シャボン玉放出部５は、リンク部材としての２枚の第１の棒状体９と、リンク部材としての２枚の第２の棒状体１０とを回り対偶となるピン１１で連結して構成されている。２つの第１の棒状体９は駆動伝達部６側を基部側としてピン１１で連結されており、先端寄りにおいてそれぞれ別々の第２の棒状体１０の一端にピン１１で連結されている。２つの第２の棒状体１０はそれぞれ先端寄りにおいてピン１１で連結されている。このように連結されることでシャボン玉放出部５は四節回転機構のリンク装置を構成する。図３に示すように、第１の棒状体９の基部は円形に構成され、外周面に第１の歯列１２が形成されている。図上手前側の第１の棒状体９と背面側の第１の棒状体９では第１の歯列１２が互いに外方を向いて、つまり逆向きとなるように形成されている（図３では背面側の第１の歯列１２は隠れている）。
第１の棒状体９と第２の棒状体１０の内周側となる側面に沿って細かなスリット群１４が形成されている。第１の棒状体９には６つの、第２の棒状体１０には３つの直列に配置された同形状の包囲部としての楕円透孔１５が形成されている。楕円透孔１５の内周側面には細かな凹凸群１６が形成されている。
【００１０】
駆動伝達部６は前方の円筒ケース１７と円筒ケース１７が保持される本体ケース１８を備えている。円筒ケース１５内には駆動ロッド１９が挿通されている。図３に示すように、駆動ロッド１９の先端はコ字状の収容部２０とされており、シャボン玉放出部５の２枚の第１の棒状体９の基端がピン１１によって収容部２０内で回動可能に支持されている。収容部２０内壁には第２の歯列２１が形成されており、第１の棒状体９の基部の第１の歯列１２が噛合されている。ピニオンギアとなる第１の歯列１２は駆動ロッド１９が前後方向に進退する際にラックとなる第２の歯列２１がこれと共に動くことによって回動させられ、その回動運動が第１の棒状体９の開閉動作となる。本体ケース１８にはレバー２３が配設されている。レバー２３は本体ケース１８に固定された回動軸２４に回動可能に支持されている。駆動ロッド１９の基部はピン２５によってレバー２３の先端に連結されている。本体ケース１８前方にはプレス板２６が配設されている。プレス板２６と駆動ロッド１９の中央の棚部１９ａの間にはコイルバネ２７が配設されている。コイルバネ２７はプレス板２６と棚部１９ａの間で付勢された状態で保持され、常時駆動ロッド１９を前方に（図３において左方に）押圧する。持ち手７はプラスチック製のケース体であって本体ケース１８の後方に嵌合されている。本体ケース１８前方には雌ネジ部材２８が嵌合されている。
鞘３は透明なプラスチック製の有底円筒形の試験管形状に構成されている。鞘３の上縁には雄ネジ部３ａが形成されている。鞘３内にはシャボン玉液が充填される。
【００１１】
次にこのような構成のシャボン玉遊戯具１の使用方法について説明する。
遊戯具本体２はコイルバネ２７に押圧されて、常時は図１や図３（ａ）のようにシャボン玉放出部５が折り畳まれた状態（収納状態）となっている。シャボン玉放出部５は折り畳まれた状態では２つの第１の棒状体９が重複状態となり、２つの第２の棒状体１０はそれら第１の棒状体９の間で同様に重複状態となる。つまり、第１の棒状体９の長さ内でコンパクトに１本の棒状状態となっている。
シャボン玉遊戯具１は、遊戯具本体２のシャボン玉放出部５が折り畳まれた状態で鞘３内に挿入され、雄ネジ部３ａと雌ネジ部材２８が螺合されて保管される。シャボン玉放出部５は鞘３内においてシャボン玉液に浸された状態となる。この状態ではシャボン玉液は鞘３から漏れることがなく封入状態となるので横に寝かせて保管してもよい。
このような保管状態からシャボン玉遊戯具１を使用する際には、遊戯者はシャボン玉遊戯具１を鞘３を立てた状態で遊戯具本体２と鞘３とを相対的に回転させて雄ネジ部３ａと雌ネジ部材２８の螺合状態を解除し、持ち手７を持って遊戯具本体２を鞘３から引き抜く。そして、速やかに（時間をおかずに）レバー２３を親指で押して図１の状態から図２の拡開された状態に変位させる。シャボン玉放出部５は鞘３内でシャボン玉液に浸されていたので、２つの第１の棒状体９と２つの第２の棒状体１０によって形成される包囲部の内側領域全面にシャボン玉液が膜状に保持されることとなる。
また、各第１の棒状体９及び第２の棒状体１０に形成された楕円透孔１５も包囲部としてその内側領域全面にシャボン玉液が膜状に保持されることとなる。この際に、第１の棒状体９と第２の棒状体１０にはスリット群１４が、楕円透孔１５には凹凸群１６が形成されているため、シャボン玉液が垂れにくくなって、膜が割れずに保持されやすくなっている。
【００１２】
このようなシャボン玉液が膜状に保持された状態でシャボン玉液の膜面に風が当たるように持ち手７を持って振ることでシャボン玉を放出させることができる。その際に振るスピードや角度を変更することで（そのような遊技形態自体も遊戯である）、２つの第１の棒状体９と２つの第２の棒状体１０によって形成される包囲部に応じた大きなシャボン玉を放出させるようにしたり、あるいは各第１の棒状体９及び第２の棒状体１０の楕円透孔１５からの相対的に小さなシャボン玉を放出させたりすることができる。
【００１３】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・上記では２つの第２の棒状体１０は内側に畳まれてＶ形状に折れ曲がったが、外側にＶ形状に畳まれる構成でもよい。
・シャボン玉放出部５を開くためにレバー２３を手動で押動するようにしたが、例えばモーター装置のような駆動源を設け、そのスイッチをＯＮすることで開くようにしてもよい。シャボン玉放出部５の第１の棒状体９が拡開する機構は一例であって、その他の拡開手段を用いてもよい。
・楕円透孔１５の形状は楕円形状以外であってもよい。また、形成されている透孔の数も上記は一例であり、変更して実施することも自由である。
【符号の説明】
【００１４】
１…シャボン玉遊戯具、３…収容容器としての鞘、５…シャボン玉放出部、７…持ち手、９…第１のリンク体としての第１の棒状体、１０…第２のリンク体としての第２の棒状体、１５…連結部材としての底板。
【図１】
0003217775.tif 000003
【図２】
0003217775.tif 000004
【図３】
0003217775.tif 000005